(57)【要約】【課題】本考案は、第１、第２ハウジングが安定するように連接できるカードコネクタを提供することを目的とする。【解決手段】本考案のカードコネクタは、絶縁性本体と、絶縁性本体に挿入される複数の導電端子と、絶縁性本体を被覆する第１、第２ハウジングとを備える。絶縁性本体は、基部と基部から前向きに延在するビーム部とを含む。各導電端子は、接触部と固持部と尾部とを有する。第１ハウジングには、第１固持脚が設けられる。第２ハウジングは、前記第１固持脚に半田接続される第２固持脚を含む。【選択図】図６
0003145666.tif 000002
【実用新案登録請求の範囲】
【請求項１】
電子カードが挿入されるカードコネクタにおいて、
基部と基部から前向きに延在するビーム部とを含む絶縁性本体と、
絶縁性本体に挿入され、接触部と固持部と尾部とを有する複数の導電端子と、
絶縁性本体を被覆し、第１固持脚が設けられる第１ハウジングと、
絶縁性本体を覆って、前記第１固持脚に半田接続される第２固持脚を含む第２ハウジングと、
を備えることを特徴とするカードコネクタ。
【請求項２】
前記第１、第２ハウジングは、それぞれ第１、第２板状部を含み、前記第１、第２固持脚がそれぞれ第１、第２板状部から下向きに延在することを特徴とする請求項１に記載のカードコネクタ。
【請求項３】
前記第１板状部の両側には、上向きに延在する側壁が設けられ、第２板状部の両側には下向きに延在して係止孔が形成される係止片が設けられ、前記絶縁性本体には、前記係止孔と係合する係止部が設けられることを特徴とする請求項２に記載のカードコネクタ。
【請求項４】
前記絶縁性本体の基部には、固持溝と複数の定位溝とが形成され、前記第２ハウジングの第２板状部には、前記複数の定位溝と係合する複数の定位片と、前記固持溝と係合する固持片が設けられることを特徴とする請求項２に記載のカードコネクタ。
【請求項５】
前記第２半田接続脚が第１半田接続脚の前方に配置されて第１半田接続脚と接触することを特徴とする請求項１に記載のカードコネクタ。
【請求項６】
前記第１ハウジングには絶縁性本体に挿入される複数の凸状部片が設けられることを特徴とする請求項１に記載のカードコネクタ。
【請求項７】
前記カードコネクタは排出機構を有し、該排出機構が前後方向に沿って移動可能なスライダーと、ポールと、絶縁性本体の基部とスライダーとの間に配置される弾力部材とを含み、スライダーにはガイド溝と前記電子カードを係合する係合部が設けられ、前記ポールがガイド溝に移動可能に実装されることを特徴とする請求項１に記載のカードコネクタ。
【請求項８】
前記カードコネクタは第１ハウジングの前端に配置される保持部材を含み、前記保持部材にはポールの一端を固定するための凹所が形成されることを特徴とする請求項７に記載のカードコネクタ。
【請求項９】
前記第２ハウジングは、絶縁性本体のビーム部を被覆する第１延在片と、保持部材を被覆する第２延在片とを備えることを特徴とする請求項８に記載のカードコネクタ。
【請求項１０】
前記カードコネクタは検出端子を含み、絶縁性本体のビーム部には、検出端子を収納するための収納溝が形成されることを特徴とする請求項１に記載のカードコネクタ。
【考案の詳細な説明】
【技術分野】
【０００１】
本考案は、電子カードが挿入されるカードコネクタに用いられ、回路基板に半田接続されるカードコネクタに関するものである。
【背景技術】
【０００２】
従来技術として、特許文献１に開示された電子カードが挿入されることに用いられるカードコネクタが知られ、このカードコネクタは、絶縁性本体と、絶縁性本体に挿入される複数の導電端子と、絶縁性本体を被覆する第１、第２ハウジングとを備える。前記第１ハウジングには、水平方向に沿う第１固持脚が設けられる。第２ハウジングには、下向きに延在する第２固持脚が設けられる。前記第１、第２固持脚が回路基板に半田接続されることによって接地される。
【特許文献１】中国特許第２，４９０，７２２Ｙ号明細書
【考案の開示】
【考案が解決しようとする課題】
【０００３】
第１、第２ハウジングは、回路基板に固着されることによって接地される。第１、第２ハウジングの中の一つのハウジングが脱出されるならば、第１、第２ハウジングが安定するように連接できない。カードコネクタの構造が変形し易い。
【０００４】
そこで本考案の目的は、上述の従来技術の問題に鑑み、第１、第２ハウジングが安定するように連接できるカードコネクタを提供することにある。
【課題を解決するための手段】
【０００５】
本考案のカードコネクタは電子カードを挿入することに用いられる。該カードコネクタは、絶縁性本体と、絶縁性本体に挿入される複数の導電端子と、絶縁性本体を被覆する第１、第２ハウジングとを備える。絶縁性本体は、基部と基部から前向きに延在するビーム部とを含む。各導電端子は、接触部と固持部と尾部とを有する。第１ハウジングには、第１固持脚が設けられる。第２ハウジングは、前記第１固持脚に半田接続される第２固持脚を含む。
【考案の効果】
【０００６】
従来の技術に比較して本考案は以下の効果を有する。本考案のカードコネクタは、第１ハウジングの第１固持脚と第２ハウジングの第２固持脚とは互いに半田接続される。これにより、第１ハウジングと第２ハウジングとは安定するように連接できる。
【考案を実施するための最良の形態】
【０００７】
以下、この考案の実施の形態を添付の図を参照して説明する。
【０００８】
図１、図３及び図６を参照すると、本考案の電子カード８００が挿入され、回路基板９００に半田接続されるカードコネクタ１００は、絶縁性本体１と、複数の導電端子２と、排出機構３と、第１、第２保持部材４，５と、保持部材６と、検出端子７とを備える。電子カード８００には凹溝８０１が形成される。
【０００９】
絶縁性本体１は基部１１と、基部１１から折り曲げられるビーム部１２とを含む。前記基部１１には、前後表面を貫通する一列の端子溝１１１と、他列の定位溝１１２と、基部１１の自由端に隣接する固持溝１１３とが形成される。
【００１０】
導電端子２は、電子カード８００と接触する接触部２１と、尾部２３と、接触部２１と尾部２３の間に設けられる固持部２２とを備える。
【００１１】
排出機構３は、電子カード８００の凹溝８０１に嵌合可能な係合部３２２とガイド溝３２３とが形成されるスライダー３２と、スライダー３２を押すことができるバネ体３１と、一端がスライダー３２のガイド溝３２３にスライド可能に実装されるポール３３とを有する。
【００１２】
第１ハウジング４は、第１板状部４５と、第１板状部４５の両側から上向きに延在する側壁４１と、第１板状部４５から下向きに延在する第１固持脚４３とを備える。第１板状部４５の後端には、複数の凸状部片４２が設けられる。
【００１３】
第２ハウジング５は、第２板状部５５と、第２板状部５５の両側から下向きに延在する複数の係止片５１と、複数の第２固持脚５３と、固持片５４とを備える。各係止片５１には、係止孔５１３が形成される。第２板状部５５の後端には、複数の定位片５２が設けられる。
【００１４】
保持部材６は、Ｆ字状に形成され、凹所６２が形成される。
【００１５】
検出端子７は共通端子７１と、共通端子７１の前後方向に沿って配置される第１接触端子７２と第２接触端子７３とを備える。第１接触端子７２は、第１固定部７２２と、第１固定部７２２の一端から後向きに延在する第１弾力ビーム７２１と、第１固定部７２２の底部から外向きに延在する第１半田接続部７２３とを含む。第２接触端子７３は、第２固定部７３２と、第２固定部７３２の一端から後向きに延在する第２弾力ビーム７３１と、第２固定部７３２の底部から外向きに延在する第２半田接続部７３３とを含む。共通端子７１は、第３固定部７１２と、第３固定部７１２から折り曲がる一対の当接部７１１と、第３固定部７１２の底部から延在する第３半田接続部７１３とを含む。
【００１６】
図１〜図５に示すように、該カードコネクタ１００の組み立て時、先ず、複数の導電端子２が絶縁性本体１の端子溝１１１に挿入される。導電端子２の接触部２１が絶縁性本体１の端子溝１１１から露出され、尾部２３が絶縁性本体１から延出して回路基板９００に半田接続される。検出端子７は絶縁性本体１のビーム部１２の収納溝１２１に装着される。第１、第２接触端子７２、７３の第１、第２半田接続部７２３、７３３が収納溝１２１から延出して回路基板９００に半田接続する。共通端子７１の第３半田接続部７１３が収納溝１２１から延出して回路基板９００に半田接続される。
【００１７】
第１ハウジング４が絶縁性本体１の下に取り付けられる。第１ハウジング４の側壁４１が絶縁性本体１のビーム部１２の外側を被覆し、凸状部片４２が絶縁性本体１に嵌入される。図２に示すように、絶縁性本体１の基部１１と弾力ビーム１２の間には、第１ハウジング４によって、収納スペース１３が形成される。保持部材６が第１ハウジング４の前端に装着される。排出機構３は絶縁性本体１のビーム部１２と対向する側に実装される。バネ体３１がスライダー３２と基部１１の間に配置される。ポール３３の一端がガイド溝３２３にガイド可能に収納され、他端が保持部材６の凹所６２に保持される。第１接触端子７２の第１弾力ビーム７２１及び第２接触端子７２の第２弾力ビーム７３１が収納スペース１３に向かって突出する。最後に、第２ハウジング５が絶縁性本体１に取り付けられ、収納スペース１３を覆う。第２ハウジング５の複数の定位片５２が絶縁性本体１の定位溝１１２に嵌め込まれる。第２ハウジング５の固持片５４が絶縁性本体１の固持溝１１３に挿入される。第２ハウジング５の係止孔５１３が絶縁性本体１の係止部１１４と係合する。第２ハウジング５の第１延在片５６がビーム部１２を被覆し、第２延在片５７が保持部材６を被覆する。
【００１８】
図１〜図６を参照すると、カードコネクタ１００が回路基板９００に取り付けられる時、第２ハウジング５の第２固持脚５３が、第１ハウジング４の第１固持脚４３の前方に配置される。第１固持脚４３と第２固持脚５３とは、一緒に回路基板９００に形成される貫通孔９０１に挿入された後、互いに半田接続されるとともに回路基板９００に半田接続される。これにより、第１、第２固持脚４３，５３が安定して接触することによって、第１、第２ハウジング４，５は安定するように接地される。電子カード８００の挿抜時、第１、第２半田接続脚４３，５３が互いに半田接続されることによって、第１、第２ハウジング４，５は安定するように連接できる。
【００１９】
他の実施方法で、第１ハウジング４の第１固持脚４３と、第２ハウジング５の第２固持脚５３とは、レーザーのような方法で半田接続された後、回路基板９００に半田接続される。ほかに、カードコネクタ１００の絶縁性本体１と第１ハウジング４とは一体に製造できる。又、保持部材６と第１ハウジング４とは一次成型によって製造される。前記絶縁性本体１と第１ハウジング４と保持部材６とは一次成型によって製造されることによって、金型を開発する費用が節約される。同時に、絶縁性本体１と保持部材６とは安定するように連接することを確保できる。第１ハウジング４が変形しにくい。第１ハウジング４に設けられる凸状部片４２が絶縁性本体１に挿入されることによって、第１ハウジング４と絶縁性本体１と安定するように連接できる。
【００２０】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００２１】
【図１】本考案のカードコネクタと電子カードの斜視図である。
【図２】図１に示すカードコネクタの部分分解図である。
【図３】図１に示すカードコネクタの分解斜視図である。
【図４】図１に示すカードコネクタの別の分解斜視図である。
【図５】第１ハウジングと保持部材とが絶縁性本体に取り付けられる斜視図である。
【図６】図１に示すカードコネクタが回路基板に装着される斜視図である。
【符号の説明】
【００２２】
１  絶縁性本体
１００  カードコネクタ
１１  基部
１１１  端子溝
１１２  定位溝
１１３  固持溝
１１４  係止部
１２  ビーム部
１２１  収納溝
１３  収納スペース
２  導電端子
２１  接触部
２２  固持部
２３  尾部
３  排出機構
３１  バネ体
３２  スライダー
３２２  係合部
３２３  ガイド溝
３３  ポール
４  第１ハウジング
４１  側壁
４２  凸状部片
４３  第１固持脚
４５  第１板状部
５  第２ハウジング
５１  係止片
５１３  係止孔
５２  定位片
５３  第２固持脚
５４  固持片
５５  第２板状部
５６  第１延在片
５７  第２延在片
６  保持部材
６２  凹所
７  検出端子
７１  共通端子
７１１  当接部
７１２  第３固定部
７１３  第３半田接続部
７２  第１接触端子
７２１  第１弾力ビーム
７２２  第１固定部
７２３  第１半田接続部
７３  第２接触端子
７３１  第２弾力ビーム
７３２  第２固定部
７３３  第２半田接続部
８００  電子カード
８０１  凹溝
９００  回路基板
９０１  貫通孔
【図１】
0003145666.tif 000003
【図２】
0003145666.tif 000004
【図３】
0003145666.tif 000005
【図４】
0003145666.tif 000006
【図５】
0003145666.tif 000007
【図６】
0003145666.tif 000008